(57)【要約】【課題】観賞用の造花に設けた香りの出す芳香剤装置がワンタッチ操作でメンテナンスが出来て、且つ此れらの芳香剤付き造花が原花に類似し茎体をよじ曲げてフラワーのアレンジを出来るようにすること。【解決の手段】合成樹脂成型品または布材にて形成した造花１で、匂いの出る揮発芳香剤２の香種をカートリッジ体３に封入し該造花１の萼部材４或いは茎体部材５での造花の一部に設けたカートリッジ体受け６に該カートリッジ体３を着脱自在にし、香りをカートリッジ体３を介して造花１より放散出来る構成にし、且つ香りを実花香りと近似して観賞の出来る構成にする。【選択図】      図１
0003118560.tif 000002
【実用新案登録請求の範囲】
【請求項１】
合成樹脂成型品または布材にて形成した造花（１）において揮発性芳香剤（２）の香種をカートリッジ体（３）に封入し該造花（１）の萼部材（４）或いは茎体部材（５）での造花の一部に設けたカートリッジ体受け（６）に該カートリッジ体（３）を着脱自在にし、香をカートリッジ体（３）を介して造花（１）より放散可能にしたことを特徴とする芳香付き造花。
【請求項２】
前記するカートリッジ体（３）に封入する揮発性芳香剤（２）の香種を造花（１）の実花香りと近似してカートリッジ体（３）を介して造花（１）より放散可能にしたことを特徴とする請求項１記載の芳香付き造花。
【考案の詳細な説明】
【技術分野】
【０００１】この考案は合成樹脂や布材などで観賞用に加工された芳香付き造花の改良に関するものである。
【背景技術】
【０００２】この種の従来の技術として、特開２００１−１４０１２０での開示を図３で示すように造花１′は芳香付きでの造花で、芳香量を簡単に調整できるようにしたもので、即ち花差しＡ′に芳香剤２′の入った容器３′が固定され、此れらの芳香剤２′が漏れないように蓋部３ｂ′によって容器３′が密封される、此れらの芳香剤２′蓋部３ｂ′の中央に開口する穴を貫通する丸状フールト材の細長い茎状毛細管部材３ａ′の片方の端部に花状飾り部材４′が固定され、他方の茎状毛細管部材３ａ′が芳香剤２′の収容され密封された容器３′の底まで差し込まれる。【０００３】更に此のよう構成する一本の茎状毛細管部材３ａ′はパイプ状の茎状被覆管５′で覆われ、容器３′の芳香剤にしみ込んで花状飾り部材４′に装備する花びら１ａ′近傍まで香の放散漏れを防いでいるが、香の放散する茎状毛細管部材３ａ′の茎状被覆管５′の開口部に露出する空間部Ｂの面積を茎状被覆管５の押し圧に抗して上下方向に移動さることで空間部Ｂの面積を変えることで香りの放散度合いが調整される構成を述べている。
【考案の開示】
【考案が解決しようとする課題】
【０００４】しかしながら上記する従来技術の場合は、造花の花びらは芳香剤のしみこんだ丸状フェルト材でパイプ状の茎状被覆管に覆われて支えられているため造花の花びらは常時太い直立パイプの為、実花での数枚の葉の付いた捩れた茎体の美観とは全く異なるので観賞用やご贈答などでの自分好の造花に創作アレンジ仕立の出来ないという課題がある。【０００５】そして又容器の芳香剤をしみ込んだ茎状毛細管部材の全長を長くするに従って芳香剤の放散部である空間部に浸透力が到達難等の課題がある。【０００６】更には容器の芳香剤はメンテナンスの出来ない構造のため芳香付き造花の機能を使用途中で短時間に失態してしまうという課題がある。【０００７】そして又香りの放散具合を調整する構造での茎状毛細管部材の貫通して上下に移動するパイプ状の茎状被覆管との隙間からの香りの放散もれや、更には芳香剤の容器詰め密封時点から使用者の手元に届くまでの流通期間でのタイムラグでの香りが自然放散して消耗してしまうなどの課題が残る。
【課題を解決するための手段】
【０００８】この考案はかかる課題を解決するために、請求項１での考案は図１（ａ）で述べるように合成樹脂成型品または布材にて形成したこれらの造花１の花びら１ａを中継する萼部材４或いは其れに接続してなる葉５ｂの付いた茎体部材５での造花１の一部に、個別に用意される揮発性芳香剤２の香種を封入したカートリッジ体３を着脱自在装着のできるカートリッジ体受け６を具備し、此れらのカートリッジ体３を介して花びら１ａなどから香りを放散する構成である。【０００９】次に請求項１（ｂ）ではカートリッジ体３の一実施例の形態を示すが、揮発性芳香剤２は底つき筒状容器にフェルト材の毛細管部材３ａに浸液させ蓋３ａを外すことで外部に放散出来るように詰め込まれるが、これらの揮発性芳香剤２は液状芳香剤とするが、ゼリー状での芳香剤では底つき筒状容器にフェルト状の毛細管部材３ａを不要とし、此れらの芳香剤を密封する為の蓋部３ｂはアルミ箔での切り込み使いでの開口部の封印でも良い。（図示せず）【００１０】更に請求項１での考案を図２で述べる実施例ではゆりの花の花びら１ａの開く前のぼみの萼部材４にカートリッジ体受６を一体化しカートリッジ体３に詰め込まれる揮発性芳香剤２はゼリー状での芳香剤が選択されたものであるが、カートリッジ体３の形態構成は造花１の茎体部材５に装着するなどでも良く、本実施例を特定するものでない。【００１１】次に請求項２での考案は前期する香りの放散する芳香つき造花でのカートリッジ体３に詰め込む揮発性芳香剤２の香りを厳選し造花１の実花の香りと近似した香料にした考案で、此れらを示す図面は請求項１に準じるものである。
【考案の効果】
【００１２】本考案は、上述の通り構成作用するので次の優れた効果を奏する。即ち請求項１述べるように造花の花の香りを放散する芳香剤は個別に密閉されたカートリッジ体に詰め込まれ造花に具備するカートリッジ体受に着脱自在に装着されるので、必要時に差し込んで使え、香りが感じなくなった時点にスペアの新しいカートリッジ体のメンテナンスの出来長期間愛用の出来る芳香付き造花を提供出来る。【００１３】次に請求項２で述べるように造花の花の香りを実花に近い香りを放散することで生花の雰囲気での環境をかもしだすことの出来る芳香付き造花を提供出来る。
そして又カートリッジ体が花びらに近傍して香りが放散されることで香りが花びらにしみ込み長期間香りが持続する芳香付き造花を提供出来る。【００１４】そして又茎部材を細い針金に着色での樹脂のコーティングで葉を装着し生花に似た折り曲げ自在で自分好みにアレンジができ、且つ市販などでの造花を組み合わせる等で豪華な芳香付き造花を提供出来る。
【考案を実施するための最良の形態】
【００１５】以下に図示の実施例に基づいて本考案を更に詳細に説明する。即ち図１（ａ）は本考案での第１実施例での全体を示す一部断面での斜視図で、合成樹脂成型品或いは布材にて形成した造花１はバラの花びら１ａはソフトな布で本物のバラ似に裁断されて合成樹脂の萼部材４に組つけられるが、此れらの萼部材４の中央部に筒状で外周に弾発力を持たせた底付きのカートリッジ体受け６を一体化し、細長い針金を合成樹脂のコーティング加工で丸い茎体部材５と其れらにトゲや葉５ｂを連結した造作が本物に酷似した造花で、此れらの構成で数本のバラの造花１がアレンジされて花差しＡに差し込まれる形態を示す。【００１６】そして前記するカートリッジ体受け６の筒状に整合して差し込み取り外しを花びら１ａの外から簡単に操作の出来る個別に設けたカートリッジ体３が係合するが、此れらの底付きで筒状でなるはめ込み取り外しの出来る蓋部３ｂ付きのカートリッジ体３の内部に揮発性芳香剤２とフェルト材の毛細管部材３ａが収納されて蓋部３ｂで密閉したコンパクトなカートリッジ体３での形態である。【００１７】カートリッジ体３は常時カートリッジ体受け６に程よい固さで差し込まれ常備されるが、蓋部３ｂを外すことで収納された揮発性芳香剤２が花びら１ａの隙間を通って外部に程よく香りを放散する仕組みである。【００１８】次に図１（ｂ）は本考案での第１実施例での萼部材４或いは茎体部材５等に一体化したカートリッジ体受け６に整合して着脱自在での個別に構成するカートリッジ体３の一部断面での斜視図で、底付きの細長い筒状での其の開口部を取り外しの出来る蓋部３ｂで密閉され、其の中には液体の揮発性芳香剤２が詰め込まれ、詰め込まれた液体の揮発性芳香剤２が毛細管部材３ａに浸液し徐々に開口部から浸液して香りの液体がこぼれる事ない構成とするが、詰め込む揮発性芳香剤２がゼリー状などの揮発性芳香剤２の詰め込まれたカートリッジ体３はフェルト材の毛細管部材３は不要の構成で、開口部にゼリー状が露出する形態でも良い。【００１９】次に図２は本考案での第１実施例での他の造花１ゆりの花での全体を示す一部断面での斜視図で、つぼみの萼部材４に一体化に設けた筒状のカートリッジ体受け６にゼリー状での揮発性芳香剤２が詰め込まれたカートリッジ体３が差し込み固定され開口部が下向きでの形態に最適な構成である。此れらのカートリッジ体３の香が時間と共に少しづつなくなるがその時点で新しいスペアーをメンテナンスする事が出来る構成とする。【００２０】此のように様々な花種の造花１に固有の香りをつけ部屋の雰囲気をかもしだし、或いは癒しの場を提供するのに広く利用されるが、揮発性芳香剤２の香料の進歩は著しい事で、造花１に組み合わせるカートリッジ体３の形態も造花１の一部材での美しさを狙う等のデザインに仕立てる等でフラワーアレンジを最適にするもので、当該カートリッジ体３の形状や機能、構成については特定するものでなく、造花１に揮発性芳香剤２を詰め込んだカートリッジ体３の香が放散可能で着脱自在にし、スペア、或いは詰め替えできるなどでメンテナンスを容易にし、造花１の付加価値を高める構成をポイントにするものでである。
【図面の簡単な説明】
【００２１】
【図１】図中（ａ）は本考案に係わる実施例での一部断面での全体斜視図である。図中（ｂ）は本考案に係わる実施例での要部一部断面での斜視図である。
【図２】本考案に係わる実施例での他の一部断面での斜視図である。
【図３】従来技術での一部断面での全体斜視図である。
【符号の説明】
【００２２】    Ａ，Ａ′          花差し
１、１′          造花
２、（２）        揮発性芳香剤（芳香剤）
３、（３′）      カートリッジ体（容器）
３ａ、（３ａ）    毛細管部材（茎体毛細管部材）
３ｂ，（３ｂ′）  蓋部
４、（４′）      萼部材（花状飾り部材）
５、５′          茎体部材（茎状飾り部材）
６                カートリッジ体受け
【図１】
0003118560.tif 000003
【図２】
0003118560.tif 000004
【図３】
0003118560.tif 000005